(57)【特許請求の範囲】
【請求項１】
送信器よりケーブルが有する複数素線のうちで探査対象の素線に送信された所定周波数の信号を受信して報知するケーブル素線探査用受信器において、素線に近接させて信号を受信するアンテナと、少なくともアンテナにて受信した信号を増幅する処理を行う信号処理部と、この信号処理部からの出力信号に応じて鳴動するスピーカと、信号処理部の出力信号を外部に出力するための外部出力端子部と、アンテナ、信号処理部、スピーカ並びに外部出力端子部が収容される器体とを備え、外部出力端子部は、信号処理部の出力側に電気的に接続されるとともに器体から突出する位置と器体内に収納される位置とに移動自在となるように器体に配設される端子片と、絶縁性を有し端子片と一体に移動自在となるように器体に配設された移動体と、移動体に形成され少なくとも端子片が器体内に収納される位置で器体から突出する操作片とを具備し、一対の端子片と絶縁性を有する操作片とを端子片間に操作片を配置するように移動体に配置して成ることを特徴とするケーブル素線探査用受信器。
【請求項２】
信号処理部の出力側と電気的に接続される端子板を器体内に配設し、端子片と導通するとともに移動体の移動に伴って端子板に摺接する接触片を移動体に設けたことを特徴とする請求項１記載のケーブル素線探査用受信器。
【発明の詳細な説明】
【０００１】
【発明の属する技術分野】
本発明は、送信器よりケーブルが有する複数素線のうちで探査対象の素線に送信された所定周波数の信号を受信して報知するケーブル素線探査用受信器に関するものである。
【０００２】
【従来の技術】
従来より、複数の素線を有するケーブルが配線路として敷設されている場合にケーブルの任意の箇所で特定の素線を探査するため、送信器から探査対象の素線に所定周波数の信号を送信し、受信器のアンテナを各素線に近接させて所定周波数の信号を受信することで特定の素線を探査するケーブル素線探査用受信器が提供されている。
【０００３】
例えば、米国特許第５４５７４４１号公報に記載されている従来の受信器では、器体の表面に設けられたスピーカを、アンテナで受信し増幅された信号で鳴動させることで可聴音を発生させて信号の受信状態を報知するようになっており、器体の側面に設けられた音量調整用のつまみを操作してスピーカからの可聴音の音量を調整して聴くことができる。また、受信信号を外部に出力するための外部出力端子が器体の端部に設けられた凹所内に配設されており、この外部出力端子にリード線等を介して外部のスピーカを外付けし、器体に設けられた内蔵のスピーカからの可聴音だけでなく、外部スピーカにより発せられる可聴音でも素線の探査が行えるようになっている。
【０００４】
【発明が解決しようとする課題】
ところで、上記公報に記載されている従来の受信器においては、器体に設けた凹所内に外部出力端子が収納されているため、誤って器体が落とされたような場合にも外部出力端子が折損し難く、また、外部出力端子の腐食が防止できるが、逆に、外部出力端子へのリード線などの接続作業が困難であった。
【０００５】
本発明は上記事情に鑑みて為されたものであり、その目的とするところは、外部出力端子部の腐食や破損が防止できるとともに外部出力端子部へのリード線などの接続性を向上させることができるケーブル素線探査用受信器を提供することにある。
【０００６】
【課題を解決するための手段】
請求項１の発明は、上記目的を達成するために、送信器よりケーブルが有する複数素線のうちで探査対象の素線に送信された所定周波数の信号を受信して報知するケーブル素線探査用受信器において、素線に近接させて信号を受信するアンテナと、少なくともアンテナにて受信した信号を増幅する処理を行う信号処理部と、この信号処理部からの出力信号に応じて鳴動するスピーカと、信号処理部の出力信号を外部に出力するための外部出力端子部と、アンテナ、信号処理部、スピーカ並びに外部出力端子部が収容される器体とを備え、外部出力端子部は、信号処理部の出力側に電気的に接続されるとともに器体から突出する位置と器体内に収納される位置とに移動自在となるように器体に配設される端子片と、絶縁性を有し端子片と一体に移動自在となるように器体に配設された移動体と、移動体に形成され少なくとも端子片が器体内に収納される位置で器体から突出する操作片とを具備し、一対の端子片と絶縁性を有する操作片とを端子片間に操作片を配置するように移動体に配置して成ることを特徴とし、リード線などを接続しないときには外部出力端子部の端子片を器体内に収納することで外部出力端子部の腐食や破損を防止することができ、また、リード線などを接続するときには端子片を移動させて器体から突出させることで接続性を向上させることができる。また、操作片をつまんで操作することで端子片の移動が容易に行えるとともに、各端子片に接続されたリード線などの導体同士を絶縁性を有する操作片によって隔絶し、導体接続後の端子片間の短絡を防止することができる。
【０００９】
請求項２の発明は、請求項１の発明において、信号処理部の出力側と電気的に接続される端子板を器体内に配設し、端子片と導通するとともに移動体の移動に伴って端子板に摺接する接触片を移動体に設けたことを特徴とし、移動体の移動に対して端子片と信号処理部の出力側との電気的な接続を安定させることができる。
【００１０】
【発明の実施の形態】
以下、図面を参照して本発明の実施形態を詳細に説明する。
【００１１】
本実施形態のケーブル素線探査用受信器（以下、「受信器」と略す。）は、図１，図２並びに図１１に示すように、ケーブルの素線に近接させて信号を受信するアンテナ２と、少なくともアンテナ２にて受信した信号を増幅する処理を行う信号処理部３と、この信号処理部３からの出力信号に応じて鳴動するスピーカ４と、信号処理部３の出力信号を外部に出力するための外部出力端子部５と、アンテナ２、信号処理部３、スピーカ４並びに外部出力端子部５が収容される器体１とを備え、ケーブル素線探査用送信器（以下、「送信器」と略す。）７０から探査対象の素線に送信された所定周波数の信号をアンテナ２で受信し、受信した信号を信号処理部３で増幅しスピーカ４を鳴動することで素線を探査するものである。ここで、送信器７０は、図１２に示すように所定周波数の信号を発生させる従来周知の回路（発振回路など）が箱形のケース７１内に納装され、ケース７１の側面より導出されているリード線７２や信号線７３を介して上記回路で発生させた所定周波数の信号をケーブルの素線に送信するものである。なお、リード線７２の先端には素線に接続するための鰐口クリップ７４が付設され、信号線７３の先端にはコネクタ７５が付設されている。而して、ケース７１の表面に露設されているスイッチ７６を操作することで上記回路を動作させて信号を発生させる。
【００１２】
図４に受信器の概略回路構成を示す。信号処理部３は、抵抗Ｒ１を介してアンテナ２と接続されたボルテージフォロワ３０と、ボルテージフォロワ３０の出力側に接続されてアンテナ２で受信した信号を増幅する増幅器３１と、送信器７０から送信される信号の所定周波数を含む周波数範囲の信号のみを通過させてノイズ成分を除去するバンドパスフィルタ３２と、バンドパスフィルタ３２でフィルタリングされた信号を累算する乗算器３３と、乗算器３３で累算された信号の周波数を変換する周波数変換回路３４と、周波数変換回路３４で周波数変換された信号を増幅してスピーカ４を鳴動させるドライブ回路３５と、電池ＢＴを電源として上記各回路に供給される動作電源（直流９Ｖ）を作成する電源回路３６とを備えている。ここで、乗算器３３の前段に設けたバンドパスフィルタ３２で、送信器７０から送信される信号の所定周波数を含む周波数範囲の信号のみを通過させてノイズ成分を除去しているから、送信器７０から送信される信号以外のノイズ等を低減することができ、後述するように送信器７０からの信号による音（スピーカ４が鳴動されて発生する可聴音、以下同じ）とノイズ音との判別が容易にできるようになっている。
【００１３】
乗算器３３は、バンドパスフィルタ３２からの信号を２乗あるいは３乗等に累乗するものであって、従来周知の技術を用いて実現可能であるから詳しい構成については説明を省略する。アンテナ２で受信される信号には、送信器７０から素線に送信された信号以外にも他の素線に漏れた信号やノイズ等が含まれている。そして、このようなノイズ等が含まれた信号を乗算器３３で累乗すれば、アンテナ２で受信した信号のうちで送信器７０からの信号を受信した所定値以上の信号の増幅度が増大し、所定値未満のノイズ等の信号については増幅度が増大しない。つまり、図５に示すように乗算器３３で累乗することによって本来の信号とノイズ成分との差を大きくすることができるから、送信器７０からの信号による音とノイズ音との判別が容易にできるようになる。なお、送信器７０から送信される信号の周波数は約１．５〔kHz〕であるが、乗算器３３の後段に設けられた周波数変換回路３４により人にとって聴き易い周波数（例えば約３．０〔kHz〕）に変換することによって、送信器７０からの信号による音を聴き取り易くして作業性の向上を図っている。
【００１４】
また、電源回路３６は、トランジスタＱ、ダイオードＤ１、抵抗Ｒ３及びコンデンサＣ３を具備し、電池ＢＴの電圧を安定化して略一定の動作電源を各部に供給している。
【００１５】
一方、ＯＰアンプ３５ａを具備したドライブ回路３５は、直流阻止用のコンデンサＣ１を介して導線４０によりスピーカ４の一方の入力端に接続されており、周波数変換回路３４で周波数変換された信号を増幅してスピーカ４に出力している。スピーカ４の他方の入力端は導線４０を介して押釦スイッチＳＷの一端に接続されている。また、この押釦スイッチＳＷの他端がコンデンサＣ２を介してグランドに接続されている。さらに、押釦スイッチＳＷの両端には、外部接続端子部５と導通する端子板２２が導線４１により接続されている。なお、スピーカ４の外殻はグランドに接続（接地）してある。
【００１６】
而して、押釦スイッチＳＷがオフのときにはスピーカ４と端子板２２とが直列に接続されることとなり、ドライブ回路３５の出力信号がスピーカ４だけでなく端子板２２を介して外部出力端子部５にも出力される。また、押釦スイッチＳＷをオンすれば端子板２２間が短絡されるため、ドライブ回路３５の出力信号はスピーカ４のみに出力されることとなる。
【００１７】
上述のように構成される信号処理部３は、図２に示すようにプリント基板から成る回路基板３８にＯＰアンプ３５ａや抵抗、コンデンサなどの電子部品３７が実装されて実現され、器体１内に収容される。
【００１８】
受信器の器体１は、図１及び図２に示すように、合成樹脂により一面が開口した矩形箱形に形成されたボディ１ａとカバー１ｂを組み立てて構成される。器体１の長手方向に対向する一方の端面には、図３に示すように略四角錐状のヘッド部１１が突設されており、このヘッド部１１の先端に設けた孔１１ａからアンテナ２の先端部が突出させてある。
【００１９】
アンテナ２は、図２に示すように導電性シリコンゴムなどの可撓性を有する導電性部材により、略角柱状の保持部２ａと、ヘッド部１１の孔１１ａから突出する略円錐状の先端部を有して保持部２ａの長手方向一端面から突設された略円柱状の胴部２ｂと、保持部２ａの長手方向他端面の一端側から屈曲させるように延設された略クランク状の舌部２ｃとが一体に形成されている。また、舌部２ｃの先端部裏面には、回路基板３８に設けられた係止孔３８ａに挿入係止される係止突起２ｄが突設されており、図６に示すように係止突起２ｄを係止孔３８ａに挿入係止することでアンテナ２の舌部２ｃと係止孔３８ａの周囲に形成されている導電部（ランド）３８ｂとが接触導通し、回路基板３８上に実現されている信号処理部３とアンテナ２とが電気的に接続される。このように舌部２ｃによって直接アンテナ２と回路基板３８のランド３８ｂとを電気的に接続しているので、アンテナ２と回路基板３８とを接続するためにリード線等の余分な部材が不要となる。また、可撓性を有する導電性部材でアンテナ２を形成しているため、アンテナ２に加わる衝撃をアンテナ２自体で吸収することができ、衝撃が加わってもアンテナ２が破損し難いものである。さらに、本実施形態においては舌部２ｃをクランク状に屈曲させているため、アンテナ２に加わった衝撃を舌部２ｃで吸収することで衝撃が回路基板３８に加わり難くなり、回路基板３８の損傷を抑えることができるという利点がある。
【００２０】
ところで、ボディ１ａのヘッド部１１内側には、図２に示すように、器体１の長手方向に沿った側壁１２ａと、側壁１２ａの両端間に設けられた横壁１２ｂとが立設されて保持凹所１２が形成されている。而して、回路基板３８と接続されたアンテナ２の保持部２ａを保持凹所１２に収納することでアンテナ２を保持することができる。ここで、アンテナ２に対して器体１の内部方向に押圧する衝撃が加わった場合でも、アンテナ２の保持部２ａの端面が保持凹所１２の内側の横壁１２ｂに当接して移動が規制されるので、回路基板３８と接続されているアンテナ２の舌部２ｃの先端部分に衝撃が加わり難くなり、舌部２ｃの破損を防ぐことができる。
【００２１】
ところで、図２及び図６に示すように、回路基板３８とアンテナ２とは金属製のシールドケース６によって覆われるようにして器体１内に収容される。このシールドケース６は、回路基板３８の電子部品３７が実装されていない面をボディ１ａ側から覆う矩形の第１シールド板６ａと、第１シールド板６ａの長手方向一端縁から立ち上がる立ち上げ片６ｂと、立ち上げ片６ｂの先端縁から第１シールド板６ａと対向するように延出されて回路基板３８の電子部品３７が実装されている面を覆う第２シールド板６ｃと、第１シールド板６ａの長手方向に対向する一端縁略中央から突出する略Ｌ形の第３シールド板６ｄと、この第３シールド板６ｄと対向するように第２シールド板６ｃの一端縁略中央から突出する樋状の第４シールド板６ｅとが金属製の板材を折曲することで一体に形成されている。なお、第２シールド板６ｃは、回路基板３８の端部実装面に実装されているスピーカ４を覆わないように第１シールド板６ａよりも長手方向の寸法が短くなっている。
【００２２】
図６に示すように、第１シールド板６ａと第２シールド板６ｃの間に回路基板３８を収め、第１シールド板６ｃを面全体でボディ１ａの内底面に当接させるようにしてシールドケース６が器体１内に収容される。なお、第１シールド板６ａにはボディ１ａの内底面に突設されているボス１３を逃がすための逃がし孔６ｆが穿孔されている。また、シールドケース６をボディ１ａ内に収納したとき、図６に示すように、シールドケース６の第３シールド板６ｄの先端部が収納凹所１２内に収納され、ボディ１ａの開口面側から収納凹所１２並びに側壁１２ａを覆う第４シールド板６ｅとともにアンテナ２の保持部２ａ並びに胴部２ｂの一部を囲むように覆ってシールドしている。このようにアンテナ２の一部をシールドケース６によってシールドしているので、図１１に示すように一つの素線８ａにアンテナ２を近接させて信号を受信しているときに他の素線８ｂからの雑音（ノイズ）を拾い難くなり、ケーブル７が有する多数の素線８ａ，８ｂ…の中から対象の素線８ａが探査し易くなる。
【００２３】
ところで、回路基板３８の長手方向に沿った一端部には、図２に示すように、ドライブ回路３５から外部出力端子部５への信号出力をオン・オフする押釦スイッチＳＷと、増幅器３１の増幅度を調整してドライブ回路３５の出力信号レベル（すなわちスピーカ４の音量）を可変するための可変抵抗ＶＲとが実装されている。器体１の押釦スイッチＳＷと対向する位置には、押釦スイッチＳＷの押釦を押し操作するためのゴム製の押釦ハンドル１４が取着され、また、器体１の可変抵抗ＶＲと対向する位置には、可変抵抗ＶＲの操作つまみをスライドさせるための操作ハンドル１５がスライド自在に配設されている（図１参照）
図１及び図３に示すように、カバー１ｂのスピーカ４と対向する位置の外面には、内側にくぼんだ凹部１６が設けられるとともに、この凹部１６の底面を貫通するように、スピーカ４の音を器体１の外へ放出するための音出用開口孔１６ａが縦横に多数列設されている。すなわち、音出用開口孔１６ａの開口面が器体１の他の部位と面一になっていると、例えば器体１を手で持ったときに音出用開口孔１６ａが手で塞がれてしまいスピーカ４の音が聴き取り難くなる虞があるが、音出用開口孔１６ａを凹部１６に設けたことで音出用開口孔１６ａが直接塞がれ難くなり、スピーカ４の音を聴き易くすることができる。
【００２４】
ところで、図１に示すように外部出力端子部５には鰐口クリップ６０並びにリード線６１を介して外部スピーカＳＰが接続でき、ドライブ回路３５の出力信号により外部スピーカＳＰが鳴動可能となっている。本実施形態では、外部出力端子部５の端子片（端子ねじ５０の胴部）５０ａを、図１０（ａ）及び（ｂ）に示すように、器体１から突出する位置と器体１内に収納される位置とに移動自在となるように器体１に配設してある。
【００２５】
外部出力端子部５は、図７に示すように、端子ねじ５０と一体に移動自在となるように器体１に配設された移動体５１と、移動体５１の片面略中央より突出する矩形板状の操作片５２とが絶縁性を有する合成樹脂により一体に略Ｔ字形に形成されている。移動体５１の操作片５２を挟んだ両端部には、端子ねじ５０が螺着される雌ねじ部５１ａと、端子ねじ５０の頭部５０ｂが収まる半円形の凹所５１ｂとがそれぞれに設けてある。また、凹所５１ｂの内側には略半円板状に形成された導電板５３が収められる。さらに、導電板５３の略中央には端子ねじ５０の胴部（端子片）５０ａが挿通される孔５３ａが設けられている。而して、この孔５３ａに挿通した端子ねじ５０の胴部５０ａを移動体５１の雌ねじ部５１ａに螺着し、端子ねじ５０の胴部（端子片）５０ａを移動体５１の雌ねじ部５１ａから操作片５２と同じ側に突出させることにより、図８に示すように外部出力端子部５が組み立てられる。
【００２６】
一方、カバー１ｂのヘッド部１１と反対側の長手方向端部には、端子片５０ａが出入りする一対の端子片用孔１７が設けられるとともに、これら端子片用孔１７に挟まれた位置に操作片５２が出入りする操作片用孔１８が設けられている。また、各端子片用孔１７に近接するカバー１ｂの底面には、図８及び図９に示すように、それぞれ一対の突条１９がカバー１ｂの長手方向に沿って突設されており、各一対の突条１９の間にレール溝２０が形成されている。このレール溝２０には、移動体５１の長手方向沿った側面の両端近傍にそれぞれ突設された突片５４がスライド自在に嵌入される（図９参照）。したがって、移動体５１は操作片５２を操作片用孔１８に挿通させた状態でカバー１ｂに対してスライド自在に取り付けられる。なお、カバー１ｂ内には端子片用孔１７及び操作片用孔１８に対向するように壁２１が設けてあり、この壁２１に移動体５１が当接することで移動体５１の器体１内への移動量が規制されている（図１０（ａ）参照）。
【００２７】
また、カバー１ｂの上記突条１９の外側には、導線４１によって回路基板３８上で押釦スイッチＳＷの両端に接続された一対の端子板２２を保持する保持溝２３が設けてある。この端子板２２は金属板のような板状の導電性部材により、カバー１ｂの移動体５１が移動する空間に臨む摺接片２２ａと、摺接片２１ａの一端縁より延設されて導線４１が半田付けして接続される接続片２２ｂとが一体に形成される。一方、端子ねじ５０と電気的に接続される導電板５３には、図７に示すように移動体５１の長手方向外側後方へ突出する接触片５５が形成されている。而して、外部接続端子部５をカバー１ｂに組み付けた状態では、図１０に示すように外部接続端子部５の接触片５５が、カバー１ｂの保持溝２３に保持された端子板２２の摺接片２２ａに弾接することになり、移動体５１をスライド移動させた場合には接触片５５が摺接片２２ａに摺接しながら端子片５０ａと端子板２２との導通が得られている。
【００２８】
而して、使用していない場合あるいは外部スピーカＳＰを使わずに内蔵のスピーカ４のみで探査を行う場合には、操作片５２を指先で操作片用孔１８に押し込むことにより、図１０（ａ）及び図１１に示すように器体１の端子片用孔１７から端子片５０ａが突出しないように器体１内に収納される。このため、端子片５０ａの腐植や落下による破損等を防止することができる。また、外部スピーカＳＰを使用する場合には、図１０（ｂ）に示すように操作片５２を指先でつまんで操作片用孔１８から引き出すことによって端子片５０ａをカバー１ｂの端子片用孔１７から突出させると、端子片５０ａにリード線６１を容易に接続することができて外部出力端子部５の接続性を向上させることができる。
【００２９】
また、上述のように移動体５１に操作片５２が設けてあるので、操作片５２をつまんで上記のように操作することで移動体５１並びに端子片５０ａの移動が容易に行える。さらに、２つの端子片５０ａの間を絶縁性を有する操作片５２によって隔絶しているので、端子片５０ａにリード線６１を接続した後に端子片５０ａ間が短絡するのを防止することができる。しかも、端子ねじ５０を導線４１により回路基板３８と接続した場合には、導線４１の収納性の関係上両者の接続性が安定しないが、上記のように導電板５３に設けた接触片５５を信号処理部３と電気的に接続された端子板２２に摺接させることにより、移動体５１の移動に対して端子片５１と信号処理部３の出力側（端子板２２）との電気的な接続を安定させることができる。なお、図１０（ａ）に示すように、操作片５２を押し込んで端子片５０ａが器体１の外へ突出しない位置にあるときには、端子板２２の摺接片２２ａと接続片２２ｂの連結部位に導電板５３の接触片５５が係止して移動体５１の抜け止めが為される。また、図１０（ｂ）に示すように、操作片５２を引き出して端子片５０ａが器体１の外へ突出している位置にあるとき、適宜の手段により移動体５１が固定されるようにしてある。
【００３０】
【発明の効果】
請求項１の発明は、送信器よりケーブルが有する複数素線のうちで探査対象の素線に送信された所定周波数の信号を受信して報知するケーブル素線探査用受信器において、素線に近接させて信号を受信するアンテナと、少なくともアンテナにて受信した信号を増幅する処理を行う信号処理部と、この信号処理部からの出力信号に応じて鳴動するスピーカと、信号処理部の出力信号を外部に出力するための外部出力端子部と、アンテナ、信号処理部、スピーカ並びに外部出力端子部が収容される器体とを備え、外部出力端子部は、信号処理部の出力側に電気的に接続されるとともに器体から突出する位置と器体内に収納される位置とに移動自在となるように器体に配設される端子片と、絶縁性を有し端子片と一体に移動自在となるように器体に配設された移動体と、移動体に形成され少なくとも端子片が器体内に収納される位置で器体から突出する操作片とを具備し、一対の端子片と絶縁性を有する操作片とを端子片間に操作片を配置するように移動体に配置して成るので、リード線などを接続しないときには外部出力端子部の端子片を器体内に収納することで外部出力端子部の腐食や破損を防止することができ、また、リード線などを接続するときには端子片を移動させて器体から突出させることで接続性を向上させることができ、さらに、操作片をつまんで操作することで端子片の移動が容易に行えるとともに、各端子片に接続されたリード線などの導体同士を絶縁性を有する操作片によって隔絶し、導体接続後の端子片間の短絡を防止することができるという効果がある。
【００３３】
請求項２の発明は、信号処理部の出力側と電気的に接続される端子板を器体内に配設し、端子片と導通するとともに移動体の移動に伴って端子板に摺接する接触片を移動体に設けたので、移動体の移動に対して端子片と信号処理部の出力側との電気的な接続を安定させることができるという効果がある。
【図面の簡単な説明】
【図１】実施形態を示す斜視図である。
【図２】同上の要部分解斜視図である。
【図３】同上の斜視図である。
【図４】同上の概略回路構成図である。
【図５】同上の動作を説明するための説明図である。
【図６】同上の要部側面断面図である。
【図７】同上における外部出力端子部の分解斜視図である。
【図８】同上における要部分解斜視図である。
【図９】同上における要部断面図である。
【図１０】（ａ）（ｂ）は同上の動作を説明するための説明図である。
【図１１】同上の使用状態における斜視図である。
【図１２】送信器を示す斜視図である。
【符号の説明】
１  器体
２  アンテナ
５  外部出力端子部
５０ａ  端子片
５１  移動体
５２  操作片
【図１】
0003707275.tif 000002
【図２】
0003707275.tif 000003
【図３】
0003707275.tif 000004
【図４】
0003707275.tif 000005
【図５】
0003707275.tif 000006
【図６】
0003707275.tif 000007
【図７】
0003707275.tif 000008
【図８】
0003707275.tif 000009
【図９】
0003707275.tif 000010
【図１０】
0003707275.tif 000011
【図１１】
0003707275.tif 000012
【図１２】
0003707275.tif 000013